(57)【要約】      （修正有）【課題】運搬性、収納性を高めた呼気に通気抵抗を与える器具を提供する。【解決手段】カード型呼気抵抗付与器具Ｘとして、板体からなるカード本体１０と、カード本体１０の表面から裏面に貫通する１以上の貫通孔２０であって、最小の断面積が０．1ｍｍ２〜2０ｍｍ２の範囲内にある貫通孔２０とを設ける。また、貫通孔２０の開口量を調節するために、貫通孔２０を長穴により形成し、カード本体１０に貫通孔２０の長手方向に関して固定位置をずらすことができるように固定される貫通孔２０の一部を塞ぐ板体からなり、固定位置に応じて貫通孔２０を塞ぐ量を調節できる開口調節部材３０を設けることもできる。【選択図】図２
0003162635.tif 000002
【実用新案登録請求の範囲】
【請求項１】
板体からなるカード本体と、
前記カード本体の表面から裏面に貫通する１以上の貫通孔であって、最小の断面積が０．０１ｍｍ2〜２０ｍｍ2の範囲内にある貫通孔と
を有するカード型呼気抵抗付与器具
【請求項２】
前記貫通孔は長穴により形成されるものであって、さらに、
前記カード本体に前記貫通孔の長手方向に関して固定位置を変えることができるように固定される、少なくとも一つの前記貫通孔の一部を塞ぐ板体からなり、前記固定位置に応じて当該貫通孔を塞ぐ量を調節できる開口調節部材を設けた
請求項１に記載のカード型呼気抵抗付与器具。
【請求項３】
互いに前記最小の断面積が異なる２以上の貫通孔を有する請求項１に記載のカード型呼気抵抗付与器具。
【請求項４】
前記貫通孔を一列に２以上、２ｃｍ以内の幅に配列した請求項１又は３に記載のカード型呼気抵抗付与器具。
【考案の詳細な説明】
【技術分野】
【０００１】
本考案は呼気に対して通気抵抗を付与する器具であって、主に声帯の筋肉を鍛えることを目的とする器具に関する。
【背景技術】
【０００２】
発声の訓練においては、息漏れを少なくするために声帯の隙間を狭くする筋肉を鍛えることが望ましい。声帯の隙間を狭くする筋肉を鍛える一つの方法として、発声における吐く息に対し抵抗を付与し、強く発声するという訓練が考えられる。このように発声時に通気抵抗を付加すると自然と声帯が狭い状態で発声されることになるので、該当する筋肉を鍛えることができる。
従来、このような発声練習を行う目的の発声練習器というものはなかったが、下記特許文献に示す、呼吸筋・肺・横隔膜を鍛える器具や消音器具は発声時の息に通気抵抗を与えることができるので、上述のような発声練習に用いることができる。
【先行技術文献】
【特許文献】
【０００３】
【特許文献１】特開2005-018001号公報
【特許文献２】特開2002-35163号公報
【特許文献３】特開2001-259077号公報
【特許文献４】特開2000-312728号公報
【特許文献５】特開2000-237347号公報
【特許文献６】特開2000- 89656号公報
【特許文献７】実用新案登録第3067143公報
【特許文献８】特開平06-214501号公報
【特許文献９】実開平03- 18572号公報
【特許文献１０】特開平2-182277号公報
【特許文献１１】実開昭63-189257号公報
【特許文献１２】実開昭63-65451号公報
【特許文献１３】実開昭59-114583号公報
【特許文献１４】特開昭53- 726号公報
【考案の概要】
【考案が解決しようとする課題】
【０００４】
ところで、従来の呼気に通気抵抗を与える器具は筒もしくは管に対して呼気を送り、これに抵抗を与える構造を有していた。しかし、このような構造をとると必ず立体的な形状となり持ち運びや収納性が劣るという問題がある。
本考案は、このような問題に鑑みてなされたものであり、呼気に通気抵抗を与える器具において運搬性、収納性を高めることを課題とする。
【課題を解決するための手段】
【０００５】
上記課題を解決するために、本考案は次のような構成を有する。
請求項１に記載の考案は、板体からなるカード本体と、前記カード本体の表面から裏面に貫通する１以上の貫通孔であって、最小の断面積が０．1ｍｍ2〜2０ｍｍ2の範囲内にある貫通孔とを有するカード型呼気抵抗付与器具である。なお、最小の断面積とは、貫通孔を長手方向すべてに渡って、長手方向に垂直な平面で切断した断面積を比較した場合の最小の断面積を意味する。このような構成により、使用に際しては口を少し開けた状態で唇をすぼめて、カード本体で口を塞ぐとともに、唇間の開口部分に１以上の貫通孔が位置するようにして、発声練習や呼吸訓練を行なう。貫通孔の面積は０．1ｍｍ2〜2０ｍｍ2と口をすぼめた際の開口の面積よりも小さくなるので、呼気に対して本器具を使用しない場合より大きな通気抵抗が発生し、声帯を狭くする筋肉を鍛えたり、呼吸機能を鍛えたりすることができる。
請求項２に記載の考案は、前記カード型呼気抵抗付与器具において、前記貫通孔は長穴により形成されるものであって、さらに、前記カード本体に前記貫通孔の長手方向に関して固定位置をずらすことができるように固定される、少なくとも一つの前記貫通孔の一部を塞ぐ板体からなり、固定位置に応じて当該貫通孔を塞ぐ量を調節できる開口調節部材を設けたものである。
請求項３に記載の考案は、請求項１に記載のカード型呼気抵抗付与器具において、互いに前記最小断面積が異なる２以上の前記貫通孔を有するものである。
請求項４に記載の考案は、請求項１又は３のいずれか１項に記載のカード型呼気抵抗付与器具において、前記貫通孔を一列に２以上、２ｃｍ以内の幅に配列したものである。
【考案の効果】
【０００６】
請求項１に記載の考案は、板体のカード本体に貫通孔を設けた平面的な構造であるので、持ち運びについて利便性が高く、収納性にも優れる。
請求項２に記載の考案は、開口調節部材の固定位置を変えることで貫通孔の大きさが変わるので通気抵抗を調節することが可能である。
請求項３に記載の考案は、最小断面積が異なる２以上の貫通孔を設けることで、貫通孔を選択して使用することで通気抵抗を変えることができる。
請求項４に記載の考案は、２ｃｍ以内の幅に一列に貫通孔を複数配置することで唇間の開口にこれらの貫通孔がすべて位置づけるようにでき、指や粘着テープなどで選択的にいくつかの貫通孔を塞ぐことで通気抵抗を変えることができる。
【図面の簡単な説明】
【０００７】
【図１】実施形態に係るカード型呼気抵抗付与器具の斜視図である。
【図２】実施形態に係るカード型呼気抵抗付与器具の分解斜視図である。
【図３】（ａ）（ｂ）とも、実施形態に係るカード型呼気抵抗付与器具の使用状態を示す正面図である。
【図４】カード型呼気抵抗付与器具の変形例を示す斜視図である。
【図５】（ａ）（ｂ）とも、カード型呼気抵抗付与器具の他の変形例を示す正面図である。
【考案を実施するための形態】
【０００８】
以下、本考案の実施の形態について、図面を参照しながら説明する。
図１に本実施形態に係るカード型呼気抵抗付与器具Ｘの斜視図を示し、図２にカード型呼気抵抗付与器具Ｘの分解斜視図を示す。カード型呼気抵抗付与器具Ｘは、カード本体１０、貫通孔２０、開口調節部材３０とから構成される。カード本体１０は、可撓性のある合成樹脂性であり、一般的なクレジットカードと同じ大きさ形状を有する。カード本体の表面側の一方の側縁側には当該側縁から２０ｍｍの幅に収まる範囲内に等間隔で並ぶ目盛り１１が描かれている。
貫通孔２０は、幅1mm、長さ２０ｍｍの長孔であり、カード本体１０の中央に貫通した孔として形成される。
開口調整部材３０は、カード本体１０と同じ形状を有する粘着性の高いシリコンゴムにより形成され、カード本体１０の貫通孔２０と同じ位置に当該貫通孔２０と同じ大きさ、形状の調整貫通孔３１が形成される。開口調整部材３０は粘着性の高いシリコンゴムにより形成されることで、カード本体１０表面の任意の位置に粘着固定することができる。
【０００９】
次に、以上のような構成を有するカード型通気抵抗付与器具Ｘの使用方法について説明する。ここでは、発声練習に使用するものとする。まず、使用者は、口を少し開けた状態で唇をすぼめ、図３（ａ）に示すように貫通孔２０の位置に口の開口が位置するようにして前面から図１に示す状態のカード型呼気抵抗付与器具Ｘを顔側に押し付けて少し撓める。この状態でカード本体１０は唇に密着し、貫通孔２０部分以外から空気が漏れない状態となる。そして、この状態で、「えー」と一定時間発声を行なう。発声により生じる息は狭い貫通孔２０とこれに重なる調整貫通孔３１のみしか通れないので、通気抵抗が大きくなる。このように通気抵抗が大きくなると声帯は狭くなり、結果として声帯を閉じる筋肉を鍛えることができる。なお、呼吸機能を鍛える場合には、あえて声を出さず息だけを強く貫通孔２０から吐き出せばよい。
【００１０】
なお、図１に示す状態のカード型呼気抵抗付与器具Ｘに対して、さらに、通気抵抗を高めたい場合がある。この場合、開口調整部材３０を剥がして、図３（ｂ）に示すように、開口調整部材３０の調整貫通孔３１と、貫通孔２０とがずれるように開口調整部材３０を貫通孔２０の長手方向に少しずらしてカード本体１０に貼り付ける。これにより貫通孔２０の開口量を狭くすることができ、この状態で、発声練習や呼吸訓練をすると、呼気に対してより強い通気抵抗を与えることができる。なお、開口調整部材３０をカード本体１０に貼り付ける際にカード本体１０に描かれた目盛り１１を基準にし、開口調整部材３０の縁部を目盛り１１の特定の線にあわせるように貼り付けることで、特定の開口量を常に再現することができる。開口調整部材３０はカード本体１０の任意の位置に貼り付けることができるので、開口量は無段階に調整することが可能である。
本実施形態に係るカード型呼気抵抗付与器具Ｘは上述のような使用方法により呼気に通気抵抗を与えることができ、発声訓練や呼吸訓練に資することができ、さらにカード型で薄いので財布などに入れて持ち運びができる。また、開口調整部材３０の位置を適宜変えることで、通気抵抗量を調整することが可能である。
【００１１】
なお、上記実施形態で示した貫通孔２０の大きさや形状は例示であり、呼気に対して通気抵抗を付与できればよいので、適宜任意の大きさや形状に変更可能である。また、カード本体の材質や形状も例示であり、材質を金属性としたり、形状を円板やキャラクターをかたどった形状としたりなど種々の変更が可能である。
さらに、上記実施形態では、開口部調整部材３０を着脱可能なシリコンゴムにより形成したが、例えば、図４の斜視図に示すカード型呼気抵抗付与器具Ｙのように、開口調整部材３０Ａを合成樹脂性の板体とし、カード本体１０に開口調整部材３０Ａを貫通孔２０の長手方向にスライド可能に保持するスライド保持部材１２を設け、これにより、カード本体１０に開口調整部材３０Ａをスライド可能に保持するようにしてもよい。このような構造により、開口調整部材３０Ａのスライド位置により開口部２０の開口量が適宜調節できることとなる。
また、開口部調整部材を用いずに通気抵抗を変えることも考えられる。例えば、図５（ａ）に示すカード型呼気抵抗付与器具Ｚのように、開口面積が異なる複数の貫通孔２０Ａ、２０Ｂ、２０Ｃを設け、使用に際しては、貫通孔を適宜選択することで通気抵抗を変える方法が考えられる。また、図５（ｂ）に示すカード型呼気抵抗付与器具Ｖのように、唇の開口の幅に収まる横幅約２ｃｍ以内に、複数の貫通孔２０Ｐ、２０Ｐ、２０Ｐを設け、使用に際していくつかの貫通孔２０Ｐを指や粘着テープで塞ぐことで複数の貫通孔２０Ｐの合計の開口面積を変えることができ、これにより通気抵抗を変える方法も採用可能である。
【符号の説明】
【００１２】
Ｘ、Ｙ、Ｚ、Ｖ  
１０  カード本体
１１  目盛り
２０、２０Ａ、２０Ｂ、２０Ｃ、２０Ｐ  貫通孔
３０、３０Ａ  開口調整部材
【図１】
0003162635.tif 000003
【図２】
0003162635.tif 000004
【図３】
0003162635.tif 000005
【図４】
0003162635.tif 000006
【図５】
0003162635.tif 000007